(57)【要約】【課題】様々な分離容易性評価データに基づいて車両の分離容易性を改善できる方法を提供する。【解決手段】本発明の実施例による車両分離容易性改善案の生成方法は、設定された分離容易性評価テーブルを用いて複数の分離容易性評価データに基づき分離容易性評価指標を算出する分離容易性評価指標算出段階、及び設定された分離容易性改善案テーブルを用いて前記算出された分離容易性評価指標に基づき分離容易性向上のための設計改善案を決める設計改善案の決定段階を含む。【選択図】図１
2005126033.tif 000002
【特許請求の範囲】
【請求項１】
設定された分離容易性評価テーブルを用いて複数の分離容易性評価データに基づき分離容易性評価指標を算出する分離容易性評価指標算出段階、及び
設定された分離容易性改善案テーブルを用いて前記算出された分離容易性評価指標に基づく計画要素を選択することで分離容易性向上のための設計改善案を決定する設計改善案の決定段階を含むことを特徴とする車両分離容易性改善案の生成方法。
【請求項２】
前記分離容易性評価データは設計要素として車両を構成する各アセンブリーの分離容易性に関するアセンブリー分離容易性評価データと；
前記それぞれのアセンブリーを構成する各部品の分離容易性に対する部品分離容易性評価データと；
を含むことを特徴とする請求項１に記載の車両分離容易性改善案の生成方法。
【請求項３】
前記アセンブリー分離容易性評価データは、該当アセンブリーの締結要素への接近容易性に関する情報を含む接近性データと；
該当アセンブリーの締結要素への分離力伝達の容易性に関する情報を含む分離力伝達性データと；
該当アセンブリーの締結要素の構造に関する情報を含む分離構造性データと；
を含むことを特徴とする請求項２に記載の車両分離容易性改善案の生成方法。
【請求項４】
前記接近性データは、該当アセンブリーの締結要素への接近空間大きさによる複数データのいずれか一つである接近空間大きさデータと、
該当アセンブリーの締結要素に接近するための接近方向変更回数による複数データのいずれか一つである接近方向変更回数データと、
該当アセンブリーの締結要素に接近するための接近経路が視野に露出される程度による複数データのいずれか一つである接近経路視覚性データと、
該当アセンブリーの締結要素への接近を案内するガイドの有無による複数データのいずれか一つであるセルフロケーションデータのうち一つ以上のデータを含むことを特徴とする請求項３に記載の車両分離容易性改善案の生成方法。
【請求項５】
前記分離容易性評価指標算出段階は、前記接近性データのうち前記接近空間大きさデータ、前記接近経路視覚性データ、前記接近方向変更回数データ、及び前記セルフロケーションデータの順に加重値を与えて前記分離容易性評価指標を算出することを特徴とする請求項４に記載の車両分離容易性改善案の生成方法。
【請求項６】
前記分離力伝達性データは、該当アセンブリーの締結要素が視野に露出される程度による複数データのいずれか一つである視覚性データと、
該当アセンブリーの締結要素を解体するための作業が行われる空間の大きさによる複数データのいずれか一つである作業空間データと、
該当アセンブリーの締結要素を分離するための分離力の大きさによる複数データのいずれか一つである分離力大きさデータと、
該当アセンブリーの締結要素の把持容易性の程度による複数データのいずれか一つである把持性データのうち一つ以上を含むことを特徴とする請求項３に記載の車両分離容易性改善案の生成方法。
【請求項７】
前記分離容易性評価指標算出段階は、前記分離力伝達性データのうち前記視覚性データ、前記分離力大きさデータ、前記作業空間データ、及び前記作業性データの順に加重値を与えて前記分離容易性を算出することを特徴とする請求項６に記載の車両分離容易性改善案の生成方法。
【請求項８】
前記分離構造性データは、該当アセンブリーの締結要素を解体するために先に解体する必要のある部品数による複数データのいずれか一つである事前解体部品個数データと、
該当アセンブリーの締結要素を解体する過程で発生する周辺アセンブリーや周辺部品の干渉程度による複数データのうちいずれか一つである配置状態データと、
該当アセンブリーの締結要素の個数による複数データのいずれか一つである締結要素個数データと、
該当アセンブリーに連結されている他のアセンブリー及び部品の数による複数データのいずれか一つである連結部品個数データと、
該当アセンブリーを分離するための締結点の個数による複数データのいずれか一つである締結点個数データのうち一つ以上を含むことを特徴とする請求項３に記載の車両分離容易性改善案の生成方法。
【請求項９】
前記分離容易性評価指標算出段階は、前記配置状態データ、前記事前解体部品個数データ、前記締結点個数データ、前記連結部品個数データ、及び前記締結要素個数データの順に加重値を与えて前記分離容易性を算出することを特徴とする請求項８に記載の車両分離容易性改善案の生成方法。
【請求項１０】
前記部品分離容易性評価データは、該当部品の締結要素への接近容易性に関する情報を含む接近性データと、該当部品の締結要素への分離力伝達の容易性に関する情報を含む分離力伝達性データと、該当部品の締結要素に関する情報を含む分離構造性データを含むことを特徴とする請求項２に記載の車両分離容易性改善案の生成方法。
【請求項１１】
前記接近性データは、該当部品の配置状態の安定性の程度による複数データのいずれか一つである配置状態データと、
該当部品の締結要素に接近するための接近方向の変更回数による複数データのいずれか一つである接近方向変更回数データと、
該当部品の締結要素に接近する時に他の部品の干渉程度による複数データのいずれか一つである締結部位開放性データと、
該当部品の締結要素に接近する時に他の部品の干渉及び他の部品の状態維持必要性による複数データのいずれか一つである状態維持データのうち一つ以上を含むことを特徴とする請求項１０に記載の車両分離容易性改善案の生成方法。
【請求項１２】
前記分離容易性評価指標算出段階は、前記接近性データのうち前記締結部位開放性データ、前記接近方向変更回数データ、前記状態維持データ、前記配置状態データの順に加重値を与えて前記分離容易性を算出することを特徴とする請求項１１に記載の車両分離容易性改善案の生成方法。
【請求項１３】
前記分離力伝達性データは、該当部品を分離する間に前記該当部品の固定必要性の程度による複数データのいずれか一つである固定状態データと、
該当部品の締結要素を解体するための作業が行われる空間の大きさによる複数データのいずれか一つである作業空間データと、
該当部品の締結要素を分離するために必要な分離力の大きさによる複数データのうちいずれか一つである分離力大きさデータと、
該当部品の締結要素の把持容易性の程度による複数データのいずれか一つである把持性データのうち一つ以上を含むことを特徴とする請求項１０に記載の車両分離容易性改善案の生成方法。
【請求項１４】
前記分離容易性評価指標算出段階は、前記分離力伝達性データのうち前記固定状態データ、前記分離力大きさデータ、前記作業空間データ、前記把持性データの順に加重値を与えて前記分離容易性を算出することを特徴とする請求項１３に記載の車両分離容易性改善案の生成方法。
【請求項１５】
前記分離構造性データは、該当部品の締結要素を解体するために先に解体する必要のある部品数による複数データのいずれか一つである事前解体部品個数データと、
該当部品の締結要素を解体する過程で発生する周辺アセンブリーや部品の干渉程度による複数データのいずれか一つである配置状態データと、
該当部品の締結要素の個数による複数データのいずれか一つである締結要素個数データと、
該当部品に連結されている他のアセンブリーや部品の数による複数データのいずれか一つである連結部品個数データと、
該当部品を分離するための締結点の個数による複数データのいずれか一つである締結点個数データのうち一つ以上を含むことを特徴とする請求項１０に記載の車両分離容易性改善案の生成方法。
【請求項１６】
前記分離容易性評価指標算出段階は、前記分離構造性データのうち前記配置状態データ、前記事前解体部品個数データ、前記締結点個数データ、前記締結要素個数データ、及び前記連結部品個数データの順に加重値を与えて前記分離容易性を算出することを特徴とする請求項１５に記載の車両分離容易性改善案の生成方法。
【発明の詳細な説明】
【技術分野】
【０００１】
本発明は車両のリサイクルに関し、詳しくは車両分離容易性改善案の生成方法に関する。
【背景技術】
【０００２】
車両の数が大幅に増加するにつれて廃車による環境汚染が問題になっており、車両の親環境的廃棄処分が要求されている。各国の法律では、自動車の製造社に自社車両の廃車回収率を次第に増大させることを規定していく傾向にある。
【０００３】
自動車製造社は環境保護だけでなく廃車処理費用の減少のために、分離が容易な車両の生産が必要となった。すなわち、廃車処理費用の減少のために、新車の開発段階から分解が容易な設計技術及びリサイクルが容易な設計技術を適用する必要がでてきた。しかし、従来は、車両の分離容易性評価及び短所分析、そして短所を改善できるような具体的な再設計ガイドラインが提示されていなかった。
【特許文献１】特開２００２−１６９８７７号広報
【発明の開示】
【発明が解決しようとする課題】
【０００４】
本発明は前記のような問題点を解決するために、様々な分離容易性評価データに基づいて車両の分離容易性を改善できる方法を提供することにその目的がある。
【課題を解決するための手段】
【０００５】
前記目的を達成するための本発明実施例による車両分離容易性改善案の生成方法は、設定された分離容易性評価テーブルを用いて複数の分離容易性評価データに基づく設計要素を選択することで分離容易性評価指標を算出する分離容易性評価指標算出段階、及び設定された分離容易性改善案テーブルを用いて前記算出された分離容易性評価指標に基づき分離容易性向上のための設計改善案を決定する設計改善案の決定段階を含むことを特徴とする。
【０００６】
前記分離容易性評価データは、設計要素として、車両を構成する各アセンブリーの分離容易性に関するアセンブリー分離容易性評価データと、前記それぞれのアセンブリーを構成する各部品の分離容易性に関する部品分離容易性評価データを含むのが好ましい。
【０００７】
前記アセンブリー分離容易性評価データは、該当アセンブリーの締結要素への接近容易性に関する情報を含む接近性データと、該当アセンブリーの締結要素への分離力伝達の容易性に関する情報を含む分離力伝達性データと、該当アセンブリーの締結要素の構造に関する情報を含む分離構造性データを含むことがさらに好ましい。
【０００８】
前記接近性データは、該当アセンブリーの締結要素への接近空間大きさによる複数データのいずれか一つである接近空間大きさデータと、該当アセンブリーの締結要素に接近するための接近方向変更回数による複数データのいずれか一つである接近方向変更回数データと、該当アセンブリーの締結要素に接近するための接近経路が視覚に露出される程度による複数データのいずれか一つである接近経路視覚性データと、該当アセンブリーの締結要素への接近を案内するガイドの有無による複数データのいずれか一つであるセルフロケーションデータのうち一つ以上のデータを含むことが好ましい。
【０００９】
前記分離容易性評価指標算出段階は、前記接近性データのうち前記接近空間大きさデータ、前記接近経路視覚性データ、前記接近方向変更回数データ、及び前記セルフロケーションデータの順に加重値を与えて前記分離容易性を算出することがさらに好ましい。
【００１０】
前記分離力伝達性データは、該当アセンブリーの締結要素が視覚に露出される程度による複数データのいずれか一つである視覚性データと、該当アセンブリーの締結要素を解体するための作業が行われる空間の大きさによる複数データのいずれか一つである作業空間データと、該当アセンブリーの締結要素を分離するための分離力の大きさによる複数データのいずれか一つである分離力大きさデータと、該当アセンブリーの締結要素の把持容易性の程度による複数データのいずれか一つである把持性データのうち一つ以上を含むのが好ましい。
【００１１】
前記分離容易性評価指標算出段階は、前記分離力伝達性データのうち前記視覚性データ、前記分離力大きさデータ、前記作業空間データ、及び前記作業性データの順に加重値を与えて前記分離容易性を算出することがさらに好ましい。
【００１２】
前記分離構造性データは、該当アセンブリーの締結要素を解体するために先に解体される必要のある部品数による複数データのいずれか一つである事前解体部品個数データと、該当アセンブリーの締結要素を解体する過程で発生する周辺アセンブリーや周辺部品の干渉程度による複数データのいずれか一つである配置状態データと、該当アセンブリーの締結要素の数による複数データのいずれか一つである締結要素個数データと、該当アセンブリーに連結されている他のアセンブリーや部品の数による複数データのいずれか一つである連結部品個数データと、該当アセンブリーを分離するための締結点の数による複数データのいずれか一つである締結点個数データのうち一つ以上を含むのが好ましい。
【００１３】
前記分離容易性評価指標算出段階は、前記配置状態データ、前記事前解体部品個数データ、前記締結点個数データ、前記連結部品個数データ、及び前記締結要素個数データの順に加重値を与えて前記分離容易性を算出することがさらに好ましい。
【００１４】
前記部品分離容易性評価データは、該当部品の締結要素への接近容易性に関する情報を含む接近性データと、該当部品の締結要素への分離力伝達の容易性に関する情報を含む分離力伝達性データと、該当部品の締結要素に関する情報を含む分離構造性データを含むのが好ましい。
【００１５】
前記接近性データは、該当部品の配置状態の安定性の程度による複数データのいずれか一つである配置状態データと、該当部品の締結要素に接近するための接近方向の変更回数による複数データのいずれか一つである接近方向変更回数データと、該当部品の締結要素に接近する時に他の部品の干渉程度による複数データのいずれか一つである締結部位開放性データと、該当部品の締結要素に接近する時に他の部品の干渉及び他の部品の状態維持必要性による複数データのいずれか一つである状態維持データのうち一つ以上を含むのが好ましい。
【００１６】
前記分離容易性評価指標算出段階は、前記接近性データのうち前記締結部位開放性データ、前記接近方向変更回数データ、前記状態維持データ、前記配置状態データの順に加重値を与えて前記分離容易性を算出することがさらに好ましい。
【００１７】
前記分離力伝達性データは、該当部品を分離する間前記該当部品の固定必要性の程度による複数データのいずれか一つである固定状態データと、該当部品の締結要素を解体するための作業が行われる空間の大きさによる複数データのいずれか一つである作業空間データと、該当部品の締結要素を分離するために必要な分離力の大きさによる複数データのいずれか一つである分離力大きさデータと、該当部品の締結要素の把持容易性の程度による複数データのいずれか一つである把持性データのうち一つ以上を含むのが好ましい。
【００１８】
前記分離容易性評価指標算出段階は、前記分離力伝達性データのうち前記固定状態データ、前記分離力大きさデータ、前記作業空間データ、前記把持性データの順に加重値を与えて前記分離容易性を算出することがさらに好ましい。
【００１９】
前記分離構造性データは、該当部品の締結要素を解体するために先に解体する必要のある部品の数による複数データのいずれか一つである事前解体部品個数データと、該当部品の締結要素を解体する過程で発生する周辺アセンブリーや部品の干渉程度による複数データのいずれか一つである配置状態データと、該当部品の締結要素の数による複数データのいずれか一つである締結要素個数データと、該当部品に連結されている他のアセンブリーまたは部品の数による複数データのいずれか一つである連結部品個数データと、該当部品を分離するための締結点の数による複数データのいずれか一つである締結点個数データのうち一つ以上を含むのが好ましい。
【００２０】
前記分離容易性評価指標算出段階は、前記分離構造性データのうち前記配置状態データ、前記事前解体部品個数データ、前記締結点個数データ、前記締結要素個数データ、及び前記連結部品個数データの順に加重値を与えて前記分離容易性を算出することがさらに好ましい。
【発明の効果】
【００２１】
本発明の実施例によれば、分離容易性評価データに基づいて分離容易性評価指標を算出し、算出された評価指標に基づいて分離容易性向上のための設計改善案を提供することにより車両の分離容易性向上のための体系的な情報提供ができる。そして、分離容易性評価データは、アセンブリー分離容易性評価データと部品分離容易性評価データを含むことにより各アセンブリー毎、各部品毎に分離容易性向上のための改善案を提供できる。
【発明を実施するための最良の形態】
【００２２】
以下、本発明の好ましい実施例を添付図面を参照して説明する。
【００２３】
図１に示すように、本発明の実施例による車両分離容易性改善案の生成方法は、予め設定された分離容易性評価テーブルを用いて複数の分離容易性評価データに基づき分離容易性評価指標を算出する分離容易性評価指標算出段階（Ｓ１１０）と、設定された分離容易性改善案テーブルを用いて算出された分離容易性評価指標に基づく設計要素を選択することで分離容易性向上のための設計改善案を決定する設計改善案決定段階（Ｓ１２０）を含む。
【００２４】
分離容易性評価データは、設計要素として車両を構成する各アセンブリーの分離容易性に対する評価データであるアセンブリー分離容易性評価データと、それぞれのアセンブリーを構成する部品の分離容易性に関する評価データである部品分離容易性評価データを含む。
【００２５】
図２には、アセンブリー分離容易性評価データのチェックリストを示す。図２のように、アセンブリー分離容易性評価データは、該当アセンブリーの締結要素への接近容易性に関する情報を含む接近性データ（ａｃｃｅｓｓｉｂｉｌｉｔｙ  ｄａｔａ）と、該当アセンブリーの締結要素への分離力伝達の容易性に関する情報を含む分離力伝達性データ（ｄｉｓａｓｓｅｍｂｌｉｎｇ  ｆｏｒｃｅ  ｔｒａｎｓｍｉｓｓｉｂｉｌｉｔｙ  ｄａｔａ）と、該当アセンブリーの締結要素に関する情報を含む分離構造性データ（ｄｉｓａｓｓｅｍｂｌｉｎｇ  ｓｔｒｕｃｔｕｒａｌ  ａｔｔｒｉｂｕｔｅ  ｄａｔａ）を含む。
【００２６】
アセンブリー分離容易性評価データのうち接近性データは、接近空間大きさデータ、接近方向変更回数データ、接近経路視覚性データ、セルフロケーションデータのいずれか一つ以上を含むのが好ましい。
【００２７】
そして、分離容易性評価指標算出段階（Ｓ１１０）で分離容易性評価指標を算出する際、接近性データのうち接近空間大きさデータ、接近経路視覚性データ、接近方向変更回数データ、及びセルフロケーションデータ順に加重値を与えるのが好ましい。即ち、分離容易性評価指標は接近性データのうち接近空間大きさデータから最も大きく影響を受けるようにするものである。アセンブリーを分離するにおいて該当アセンブリーへの接近性が最も重要な要素として見なされるためである。
【００２８】
接近空間大きさデータは、該当アセンブリーの締結要素への接近容易性の程度による複数データのいずれか一つであることが好ましい。例えば、接近空間大きさデータは、該当アセンブリーの締結要素への接近が自由な場合に該当するデータと、該当アセンブリーの締結要素への特定方向からの接近に制約がある場合に該当するデータと、該当アセンブリーの締結要素への接近が難しい場合に該当するデータのいずれか一つであることが好ましい。
【００２９】
予め設定された分離容易性評価テーブルで、それぞれの接近空間大きさデータに対して予め設定された点数が与えられる。つまり、接近が自由な場合は最も高い点数が与えられ、特定方向からの接近に制約がある場合は中間点数が与えられ、接近が困難な場合は最も低い点数が与えられる。
【００３０】
接近方向変更回数データは、該当アセンブリーの締結要素に接近するための接近方向の変更回数による複数データのいずれか一つであることが好ましい。例えば、接近方向変更回数データは、接近方向を変更せず該当アセンブリーの締結要素に接近できる場合に該当するデータと、１回接近方向が変更される場合に該当するデータと、２回以上接近方向が変更される場合に該当するデータのいずれか一つであることが好ましい。
【００３１】
予め設定された分離容易性評価テーブルで、それぞれの接近方向変更回数データに対して予め設定された点数が与えられる。
【００３２】
接近経路視覚性データは、該当アセンブリーの締結要素に接近するための接近経路が視野に露出される程度による複数データのいずれか一つであることが好ましい。つまり、接近経路視覚性データは、作業者が体を動かすことなく該当接近経路が目で確認できる場合に該当するデータと、作業者が体を動かすことによって接近経路を目で確認できる場合に該当するデータと、他のアセンブリーや部品のため該当アセンブリーへの接近経路が見えない場合に該当するデータのいずれか一つであることが好ましい。
【００３３】
予め設定された分離容易性評価テーブルで、それぞれの接近経路視覚性データに対して予め設定された点数が与えられる。
【００３４】
セルフロケーションデータは、該当アセンブリーの締結要素への接近を案内する支持台や通路のようなガイドの有無による複数データのいずれか一つであることが好ましい。例えば、セルフロケーションデータは、該当アセンブリーの締結要素が露出されておらず締結要素への接近を案内するガイドが存在する場合に該当するデータと、該当アセンブリーの締結要素が露出されておらず前記締結要素への接近を案内するガイドが存在しない場合に該当するデータのいずれか一つであることが好ましい。
【００３５】
予め設定された分離容易性評価テーブルで、それぞれのセルフロケーションデータに対して予め設定された点数が与えられる。
【００３６】
アセンブリー分離容易性評価データのうち分離力伝達性データは、視覚性データ、作業空間データ、分離力大きさデータ、把持性データのいずれか一つ以上を含むのが好ましい。
【００３７】
そして、分離容易性評価指標算出段階（Ｓ１１０）で分離力伝達性データを用いて分離容易性評価指標を算出する際、分離力伝達性データのうち視覚性データ、分離力大きさデータ、作業空間データ、把持性データの順に加重値を与えることが好ましい。つまり、分離容易性評価指標は、分離力伝達性データのうち視覚性データにより最も大きく影響を受けるようにする。分離力伝達において該当アセンブリーが視野に露出されているか否かが最も重要な要素として見なされているためである。
【００３８】
視覚性データは、該当アセンブリーの締結要素の視覚的露出程度による複数データのいずれか一つであることが好ましい。例えば、視覚性データは、該当アセンブリーの締結要素を解体する中で該当締結要素の全部が作業者の視野に露出される場合に該当するデータと、該当アセンブリーの締結要素を解体する中で該当締結要素の一部が作業者の視野に露出されない場合に該当するデータのいずれか一つであることが好ましい。
【００３９】
予め設定された分離容易性評価テーブルでは、それぞれの視覚性データに対して予め設定された点数が与えられる。
【００４０】
作業空間データは、該当アセンブリーの締結要素を解体するための作業が行われる空間の大きさによる複数データのいずれか一つであるのが好ましい。例えば、作業空間データは、該当アセンブリーの締結要素を解体するための作業が行われる作業空間が作業者の作業動作及び作業道具の動きを制約しない大きさに該当するデータと、該当アセンブリーの締結要素を解体するための作業が行われる作業空間が作業者の作業動作及び作業道具の動きを制約する大きさに該当するデータのいずれか一つであることが好ましい。
【００４１】
予め設定された分離容易性評価テーブルでは、それぞれの作業空間データに対して予め設定された点数が与えられる。
【００４２】
分離力大きさデータは、該当アセンブリーの締結要素を分離するための分離力大きさによる複数データのいずれか一つであることが好ましい。例えば、分離力大きさデータは、該当アセンブリーの締結要素が素手で分離可能であったり、作業道具を使用して一手で容易に分離可能な場合に該当するデータと、作業道具を使用して一手で該当アセンブリーの締結要素を分離することが困難で、両手で作業する方が容易な場合に該当するデータと、作業道具を使用して一手で該当アセンブリーの締結要素を分離することが不可能で、両手で分離力を伝達して分離できたり、締結要素の分離中に破損が生ずる場合に該当するデータのいずれか一つであることが好ましい。
【００４３】
予め設定された分離容易性評価テーブルでは、それぞれの分離力大きさデータに対して予め設定された点数が与えられる。
【００４４】
把持性データは、該当アセンブリーの締結要素の把持容易性の程度による複数データのいずれか一つであることが好ましい。例えば、把持性データは、該当アセンブリーの締結要素が作業者の手や作業道具で捕えられない場合に該当するデータと、該当アセンブリーの締結要素が作業者の手や作業道具で捕えられるが、分離力を伝達すると前記締結要素が作業者の手や作業道具から離脱する場合に該当するデータと、該当アセンブリーの締結要素が作業者の手や作業道具で捕えられ、分離力を伝達しても前記締結要素が作業者の手や作業道具から離脱しない場合に該当するデータのいずれか一つであることが好ましい。
【００４５】
予め設定された分離容易性評価テーブルでは、それぞれの把持性データに対して予め設定された点数が与えられる。
【００４６】
アセンブリー分離容易性評価データのうち分離構造性データは、事前解体部品個数データ、配置状態データ、締結要素個数データ、連結部品個数データ、締結点個数データのいずれか一つ以上を含むのが好ましい。
【００４７】
そして、分離容易性評価指標算出段階（Ｓ１１０）で分離構造性データを用いて分離容易性評価指標を算出するにおいて、分離構造性データのうち配置状態データ、事前解体部品個数データ、締結点個数データ、連結部品個数データ、締結要素個数データの順に加重値を与えて分離容易性を算出することが好ましい。つまり、分離容易性評価指標は、分離構造性データのうち配置状態データにより最も大きく影響を受けるものと設定される。
【００４８】
事前解体部品個数データは、該当アセンブリーの締結要素を解体するために先に解体する必要のある部品数による複数データのうち一つである。
【００４９】
配置状態データは、該当アセンブリーの締結要素を解体する過程で発生する周辺アセンブリーや周辺部品の干渉程度による複数データのうち一つである。
【００５０】
締結要素個数データは、該当アセンブリーの締結要素の個数による複数データのうち一つである。
【００５１】
連結部品個数データは、該当アセンブリーに連結されている他のアセンブリーや部品の数による複数データのうち一つである。
【００５２】
締結点個数データは、アセンブリーを分離するための締結点の個数による複数データの一つである。
【００５３】
予め設定された分離容易性評価テーブルでそれぞれの事前解体部品個数データ、配置状態データ、締結要素個数データ、連結部品個数データ、及び締結点個数データに対して設定された点数が与えられる。
【００５４】
図３には、部品分離容易性評価データのチェックリストが示されている。
図３のように、部品分離容易性評価データは、該当部品の締結要素への接近容易性に関する情報を含む接近性データと、該当部品の締結要素への分離力伝達の容易性に関する情報を含む分離力伝達性データと、該当部品の締結要素に関する情報を含む分離構造性データを含む。
【００５５】
部品分離容易性評価データのうち接近性データは、配置状態データ、接近方向変更回数データ、締結部位開放性データ、状態維持データのいずれか一つ以上を含むのが好ましい。
【００５６】
そして、分離容易性評価指標算出段階（Ｓ１１０）で分離容易性評価指標を算出するにおいて、接近性データのうち締結部位開放性データ、接近方向変更回数データ、状態維持データ、配置状態データの順に加重値を与えることが好ましい。つまり、分離容易性評価指標は接近性データのうち締結部位開放性データにより最も大きく影響を受けるものと設定される。
【００５７】
配置状態データは、該当部品の配置状態の安定性の程度による複数データのいずれか一つであることが好ましい。例えば、配置状態データは、該当部品の配置状態が不安定で二つ以上の方向に対して固定が必要な場合に該当するデータと、該当部品の配置状態が不安定で特定方向に対して固定が必要な場合に該当するデータと、該当部品の配置状態が安定で固定が不必要な場合に該当するデータのいずれか一つであることが好ましい。
【００５８】
予め設定された分離容易性評価テーブルでは、それぞれの配置状態データに対して予め設定された点数が与えられる。
【００５９】
接近方向変更回数データは、該当部品の締結要素に接近するための接近方向の変更回数による複数データのいずれか一つであることが好ましい。
例えば、接近方向変更回数データは、接近方向を変更せず該当部品の締結要素へ接近できる場合に該当するデータと、１回接近方向が変更される場合に該当するデータと、２回以上接近方向が変更される場合に該当するデータのいずれか一つであることができる。
【００６０】
予め設定された分離容易性評価テーブルでは、それぞれの接近方向変更回数データに対して予め設定された点数が与えられる。
【００６１】
締結部位開放性データは、該当部品の締結要素に接近する時に他の部品の干渉程度（つまり、締結部位の開放性程度）による複数データのいずれか一つであることが好ましい。例えば、締結部位開放性データは、該当部品の締結要素に接近する時に他の部品の干渉がない場合に該当するデータと、該当部品の締結要素に接近する時に他の部品の干渉があり、該当締結要素が露出されておらず、該当締結要素に案内するガイドがある場合に該当するデータと、該当部品の締結要素に接近する時に他の部品の干渉があり、該当締結要素が露出されておらず、該当締結要素に案内するガイドがない場合に該当するデータのいずれか一つであることができる。
【００６２】
予め設定された分離容易性評価テーブルでは、それぞれの締結部位開放性データに対して予め設定された点数が与えられる。
【００６３】
状態維持データは、該当部品の締結要素に接近する時に他の部品の干渉及び他の部品の状態維持必要性による複数データのいずれか一つであることが好ましい。例えば、状態維持データは、該当部品の締結要素に接近する時に他の部品の干渉があり、前記他の部品の固定が必要な場合に該当するデータと、該当部品の締結要素に接近する時に他の部品の干渉があるが、前記他の部品の固定が不必要な場合に該当するデータと、該当部品の締結要素に接近する時に他の部品の干渉がない場合に該当するデータのいずれか一つであることができる。
【００６４】
予め設定された分離容易性評価テーブルでは、それぞれの状態維持データに対して予め設定された点数が与えられる。
【００６５】
部品分離容易性評価データのうち分離力伝達性データは、固定状態データ、作業空間データ、分離力大きさデータ、把持性データからなる群から選択される一つ以上のデータを含むのが好ましい。
【００６６】
そして、分離容易性評価指標算出段階（Ｓ１１０）で分離力伝達性データを用いて分離容易性評価指標を算出する際、分離力伝達性データのうち固定状態データ、分離力大きさデータ、作業空間データ、把持性データの順に加重値を与えるのが好ましい。
【００６７】
固定状態データは、部品を分離する間に該当部品を固定する必要性の程度による複数データのいずれか一つであることが好ましい。例えば、固定状態データは、該当部品を分離する間に別の手段で該当部品を固定する必要がない場合に該当するデータと、該当部品への分離力伝達初期には該当部品を固定する必要がないが締結要素の一部を除去した後には該当部品を固定する必要がある場合に該当するデータと、該当部品の分離初期から該当部品の固定が必要な場合に該当するデータのいずれか一つであることができる。
【００６８】
予め設定された分離容易性評価テーブルでは、それぞれの固定状態データに対して予め設定された点数が与えられる。
【００６９】
作業空間データは、該当部品の締結要素を解体するための作業が行われる作業空間の大きさによる複数データのいずれか一つであることが好ましい。例えば、作業空間データは、該当部品の締結要素を解体するための作業が行われる作業空間が作業者の作業動作や作業道具の動きを制約しない大きさである場合に該当するデータと、該当部品の締結要素を解体するための作業が行われる作業空間が作業者の作業動作や作業道具の動きを制約する大きさに該当するデータのいずれか一つであることができる。
【００７０】
予め設定された分離容易性評価テーブルでそれぞれの作業空間データに対して予め設定された点数が与えられる。
【００７１】
分離力大きさデータは、該当部品の締結要素を分離するための分離力の大きさによる複数データのいずれか一つであることが好ましい。例えば、分離力大きさデータは、該当部品の締結要素が素手で分離できたり、作業道具を使用して一手で容易に分離可能な場合に該当するデータと、作業道具を使用して一手で該当部品の締結要素を分離することが困難で両手で作業する方が容易な場合に該当するデータと、作業道具を使用して一手で該当アセンブリーの締結要素を分離することが不可能で、両手で分離力を伝達して分離できたり、締結要素の分離中に破損が発生する場合に該当するデータのいずれか一つであることができる。
【００７２】
予め設定された分離容易性評価テーブルで、それぞれの分離力大きさデータに対して予め設定された点数が与えられる。
【００７３】
把持性データは、該当部品の締結要素の把持容易性の程度による複数データのうちいずれか一つであることが好ましい。例えば、把持性データは、該当部品の締結要素が作業者の手や作業道具で捕らえられない場合に該当するデータと、該当部品の締結要素が作業者の手や作業道具で捕らえられるが、分離力を伝達すれば締結要素が作業者の手や作業道具から離脱する場合に該当するデータと、該当部品の締結要素が作業者の手や作業道具で捕えられ、分離力を伝達しても前記締結要素が作業者の手や作業道具から離脱しない場合に該当するデータのいずれか一つであることができる。
【００７４】
予め設定された分離容易性評価テーブルでは、それぞれの把持性データに対して予め設定された点数が与えられる。
【００７５】
部品分離容易性評価データのうち分離構造性データは、事前解体部品個数データと、配置状態データと、締結要素個数データと、連結部品個数データと、締結点個数データのいずれか一つ以上を含むのが好ましい。
【００７６】
そして、分離容易性評価指標算出段階（Ｓ１１０）で分離構造性データを利用して分離容易性評価指標を算出するにおいて、配置状態データ、事前解体部品個数データ、締結点個数データ、締結要素個数データ、及び連結部品個数データの順に加重値を与えることが好ましい。つまり、分離容易性評価指標は、分離構造性データのうち配置状態データから最も大きく影響を受けるものと設定される。
【００７７】
事前解体部品個数データは、該当部品の締結要素を解体するために先に解体する必要のある部品数による複数データのいずれか一つである。
【００７８】
配置状態データは、該当部品の締結要素を解体する過程で発生する周辺アセンブリーや周辺部品の干渉程度による複数データのいずれか一つである。
【００７９】
締結要素個数データは、該当部品の締結要素の個数による複数データのいずれか一つである。
【００８０】
連結部品個数データは、該当部品に連結されている他のアセンブリーや部品の数による複数データのいずれか一つである。
【００８１】
締結点個数データは、該当部品を分離するための締結点の個数による複数データのいずれか一つである。
【００８２】
予め設定された分離容易性評価テーブルで、部品分離容易性評価データのうちそれぞれの分離構造性データに対して予め設定された点数が与えられる。
【００８３】
分離容易性評価指標が算出されれば、算出された評価指標に基づき予め設定された分離容易性改善法案テーブルを用いて各アセンブリー毎、各部品毎に設計改善案が決定される。
【００８４】
例えば、前記のような車両の分離容易性改善案の決定方法はコンピュータプログラムにより実現できる。つまり、本発明の実施例による分離容易性改善案の決定方法は、分離容易性評価データを入力できる入力窓と算出された分離容易性評価指標と設計改善案を示す出力窓を含むプログラムにより実現できる。
【００８５】
複数の入力窓を通じて入力された分離容易性評価データに基づき予め設定された分離容易性評価テーブルを用いて各アセンブリー毎または各部品毎に分離容易性評価指標が算出され、出力窓を通じて特定部品に対して算出された分離容易性評価指標が表示される。例えば、接近性、分離力伝達性及び構造性に対して各々点数で示した評価指標を表示するのが好ましい。
【００８６】
そして、出力窓を通じて算出された分離容易性評価指標に基づき予め設定された設計改善案テーブルを用いて各アセンブリー毎及び各部品毎に設計改善案が提供される。特定部品に対して接近性関連設計ガイドライン、分離力伝達性関連設計ガイドライン、及び分離構造性関連設計ガイドラインが各々表示される。そして、最も改善の余地の大きい項目が設計の大原則として設定され、その他の事項は細部設計ガイドラインとして設定されるのが好ましい。従って、使用者は各アセンブリー毎及び各部品毎の設計改善案に関する情報を得ることができる。
【００８７】
以上、本発明の好ましい実施例を説明したが、本発明は前記実施例に限定されず、その技術的範囲において、本発明の属する技術分野における通常の知識を有する者であれば容易に変更し得るであろう。
【図面の簡単な説明】
【００８８】
【図１】本発明の実施例による車両分離容易性改善案の生成方法を簡略に示すフローチャートである。
【図２】本発明の実施例による車両分離容易性改善案の生成方法に利用されるアセンブリー分離容易性評価データのチェックリスト示す図面である。
【図３】本発明の実施例による車両分離容易性改善案の生成方法に用いられる部品分離容易性評価データのチェックリストを示す図面である。
【符号の説明】
【００８９】
Ｓ１１０  分離容易性評価指標算出段階
Ｓ１２０  設計改善案決定段階
【図１】
2005126033.tif 000003
【図２】
2005126033.tif 000004
【図３】
2005126033.tif 000005